(57)【要約】【課題】あらかじめ書換情報の登録及び代金の決済を行った後にＩＣカード式定期券の書換を行うようにして、現金の入金を行うことなく、また、何時でも定期券書換端末を操作してＩＣカード式定期券の書換を行うことができるようにする。【解決手段】書換情報管理サーバにアクセスしてＩＣカード式定期券の書換情報の登録及び代金の決済を行うステップと、前記書換情報管理サーバに書換依頼内容の問い合わせを送信するステップと、前記書換情報管理サーバからの書換指示を受信するステップと、前記ＩＣカード式定期券の書換を行うステップとを有する。【選択図】          図１
2004326524.tif 000002
【特許請求の範囲】
【請求項１】
（ａ）書換情報管理サーバにアクセスしてＩＣカード式定期券の書換情報の登録及び代金の決済を行うステップと、
（ｂ）前記書換情報管理サーバに書換依頼内容の問い合わせを送信するステップと、
（ｃ）前記書換情報管理サーバからの書換指示を受信するステップと、
（ｄ）前記ＩＣカード式定期券の書換を行うステップとを有することを特徴とするＩＣカード式定期券書換方法。
【請求項２】
前記ＩＣカード式定期券の書換は、定期券書換端末が行う請求項１に記載のＩＣカード式定期券書換方法。
【請求項３】
前記ＩＣカード式定期券の書換情報の登録及び代金の決済は、ウェブブラウザ端末又はクレジットカード取扱端末から前記書換情報管理サーバにアクセスして行う請求項１又は２に記載のＩＣカード式定期券書換方法。
【請求項４】
前記代金の決済は、クレジット決済である請求項１〜３のいずれか１項に記載のＩＣカード式定期券書換方法。
【発明の詳細な説明】
【０００１】
【発明の属する技術分野】
本発明は、ＩＣカード式定期券書換方法に関するものである。
【０００２】
【従来の技術】
従来、鉄道、バス等の輸送機関において、利用者が一定の期間、同じ区間を利用するための定期券として、磁気カード式定期券が使用されている。該磁気カード式定期券は、表面に利用区間、有効期限、利用者の氏名等の情報が文字情報として記載され、裏面に貼（てん）付された磁気記憶媒体に前記文字情報をコード化した磁気情報が記録されている。しかし、前記磁気カード式定期券においては、表面に記載された文字情報や裏面に記録された磁気情報を書き換えることができず、利用期間を更新する場合に、古いカードを再利用することができなかった。また、自動改札機によって磁気情報を読み取る場合には、磁気カード式定期券の裏面に自動改札機の磁気ヘッドを接触させる必要があり、該磁気ヘッドが摩耗してしまう。
【０００３】
そこで、近年においては、磁気カード式定期券に代えてＩＣカード式定期券が使用されるようになっている（例えば、特許文献１参照。）。前記ＩＣカード式定期券は、カード内部に埋め込まれたＩＣを備え、該ＩＣに利用区間、有効期限、利用者の氏名等の情報を格納し、前記ＩＣの備える無線送受信機能によって、自動改札機と非接触で交信を行うようになっている。そのため、自動改札機の部品が摩耗してしまうことがない。また、ＩＣに記録された情報を書き換えることができるので、利用期間を更新する場合でも、古いカードを再利用することができる。さらに、ＩＣの記憶容量が磁気記憶媒体の記憶容量よりもはるかに大きいので、多くの情報を記録することができるとともに、偽造や変造が困難であるため、セキュリティを高くすることができる。
【０００４】
【特許文献１】
特開２００１−２８３２６１号公報
【０００５】
【発明が解決しようとする課題】
しかしながら、前記従来のＩＣカード式定期券の書換を行って有効期限を更新する場合には、駅構内等に配設された定期券書換端末を利用者が自分で操作するようになっているが、この場合、書換の費用を入金するために現金を使用する必要があるので、利用者は、多額の現金を所持せねばならず、煩わしく感じてしまう。また、多額の現金を紛失したり、盗難されたりする可能性もあるので、利用者は不安に感じてしまう。
【０００６】
もっとも、駅の定期券販売窓口においてＩＣカード式定期券の書換を行う場合には、クレジットカードを使用することが可能であるが、定期券販売窓口における受付時間が限られるため、利用者が早朝又は深夜の時間帯に鉄道等を利用する場合、ＩＣカード式定期券の書換を行うことができない。また、通常、定期券販売窓口は、数が少なく待ち時間が長いので、通勤途中のように時間的余裕のない場合、利用者はＩＣカード式定期券の書換を行うことができない。
【０００７】
なお、一般に、ＩＣカード式定期券は、利用区間以外の区間においても切符として利用することができるようになっている。この場合、あらかじめ切符として利用するための費用を入金するようになっているが、有効期限を更新する場合と同様に、切符として利用するための費用を入金するために現金を使用する必要があるので、利用者は煩わしく感じてしまう。
【０００８】
本発明は、前記従来のＩＣカード式定期券の書換方法の問題点を解決して、あらかじめ書換情報の登録及び代金の決済を行った後にＩＣカード式定期券の書換を行うようにして、現金の入金を行うことなく、また、何時でも定期券書換端末を操作してＩＣカード式定期券の書換を行うことができるＩＣカード式定期券書換方法を提供することを目的とする。
【０００９】
【課題を解決するための手段】
そのために、本発明のＩＣカード式定期券書換方法においては、書換情報管理サーバにアクセスしてＩＣカード式定期券の書換情報の登録及び代金の決済を行うステップと、前記書換情報管理サーバに書換依頼内容の問い合わせを送信するステップと、前記書換情報管理サーバからの書換指示を受信するステップと、前記ＩＣカード式定期券の書換を行うステップとを有する。
【００１０】
本発明の他のＩＣカード式定期券書換方法においては、さらに、前記ＩＣカード式定期券の書換は、定期券書換端末が行う。
【００１１】
本発明の更に他のＩＣカード式定期券書換方法においては、さらに、前記ＩＣカード式定期券の書換情報の登録及び代金の決済は、ウェブブラウザ端末又はクレジットカード取扱端末から前記書換情報管理サーバにアクセスして行う。
【００１２】
本発明の更に他のＩＣカード式定期券書換方法においては、さらに、前記代金の決済は、クレジット決済である。
【００１３】
【発明の実施の形態】
以下、本発明の実施の形態について図面を参照しながら詳細に説明する。
【００１４】
図１は本発明の実施の形態におけるＩＣカード式定期券の書換のためのシステム構成を示す図である。
【００１５】
図において、１１は利用者が使用するウェブブラウザ（Ｗｅｂ  ｂｒｏｗｓｅｒ）端末、１３は書換情報管理サーバとしてのＩＣカード式定期券書換情報管理サーバであり、前記ウェブブラウザ端末１１とＩＣカード式定期券書換情報管理サーバ１３とは、一般ネットワーク１２を介して通信可能に接続されている。そして、前記利用者は、ウェブブラウザ端末１１を操作してＩＣカード式定期券書換情報管理サーバ１３にアクセスして、図示されないＩＣカード式定期券の書換情報の登録を行うようになっている。
【００１６】
ここで、前記利用者は、鉄道、バス等の輸送機関を利用する者であり、前記ＩＣカード式定期券は、前記利用者が一定の期間、前記輸送機関の同じ区間を利用するための定期券として機能する。そして、前記ＩＣカード式定期券は、カード内部に埋め込まれたＩＣを備え、該ＩＣに利用区間、有効期限、利用者の氏名等の情報を格納し、前記ＩＣの備える無線送受信機能によって、自動改札機と非接触で交信を行うようになっている。なお、本実施の形態においては、前記ＩＣカード式定期券が鉄道の定期券として機能する場合について説明する。また、前記ＩＣカード式定期券は、書換を行って有効期限を更新することができるようになっている。なお、有効期限を更新するためには、費用を入金する必要がある。
【００１７】
さらに、前記ＩＣカード式定期券は、あらかじめ切符として利用するための費用、すなわち、チャージを入金することによって、利用区間以外の区間においても切符として利用することができるものである。この場合、入金されたチャージから利用した区間の切符代に相当する金額が引き去りされるようになっている。そのため、ある程度切符として利用した場合には、前記ＩＣカード式定期券の書換を行って、チャージを追加する必要がある。
【００１８】
そして、前記ウェブブラウザ端末１１は、ＣＰＵ、ＭＰＵ等の演算手段、磁気ディスク、半導体メモリ等の記憶手段、キーボード、マウス、リモートコントローラ、タッチパネル等の入力手段、ＣＲＴ、液晶ディスプレイ、ＬＥＤ（Ｌｉｇｈｔ  Ｅｍｉｔｔｉｎｇ  Ｄｉｏｄｅ）ディスプレイ等の表示手段、通信インターフェイス等を備えるコンピュータであり、例えば、図に示されるパーソナルコンピュータ１１ａ及び携帯電話機１１ｂであるが、携帯情報端末、ＰＤＡ（Ｐｅｒｓｏｎａｌ  Ｄｉｇｉｔａｌ  Ａｓｓｉｓｔａｎｔ）、ゲーム機、デジタルテレビ等であってもよく、前記一般ネットワーク１２に接続可能なものであれば、いかなるものであってもよい。なお、前記一般ネットワーク１２は、例えば、インターネットであるが、無線又は有線の公衆通信回線網、専用通信回線網、イントラネット、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、公衆回線を利用したＶＰＮ（Ｖｉｒｔｕａｌ  Ｐｒｉｖａｔｅ  Ｎｅｔｗｏｒｋ）、衛星通信回線網等、いかなる通信回線網であってもよく、これらを適宜組み合わせたものであってもよい。
【００１９】
また、前記ＩＣカード式定期券書換情報管理サーバ１３は、ＣＰＵ、ＭＰＵ等の演算手段、磁気ディスク、半導体メモリ等の記憶手段、キーボード、マウス、タッチパネル等の入力手段、ＣＲＴ、液晶ディスプレイ、ＬＥＤディスプレイ等の表示手段、通信インターフェイス等を備えるコンピュータとしてのサーバである。そして、前記ＩＣカード式定期券書換情報管理サーバ１３は、大型の汎（はん）用機であってもよいし、パーソナルコンピュータであってもよいし、また、ワークステーションであってもよい。また、前記ＩＣカード式定期券書換情報管理サーバ１３は、独立して構成されたものであってもよいし、複数のサーバを有機的に結合した分散型サーバであってもよい。さらに、前記ＩＣカード式定期券書換情報管理サーバ１３は、他のコンピュータと一体的に構成されたものであってもよいし、大型コンピュータの中に構築された複数のシステムの中の一つであってもよい。そして、前記ＩＣカード式定期券書換情報管理サーバ１３は、それぞれの利用者について、住所、氏名、年齢、職種等の利用者情報、入金金額情報、クレジットカード番号等の決済情報、ＩＣカード番号、チャージ、継続定期券購入等の更新種別、有効期限等の継続定期情報等を格納するための定期券書換情報データベース１４を備える。なお、該定期券書換情報データベース１４は、前記ＩＣカード式定期券書換情報管理サーバ１３と別個に構成されて接続されたものであってもよいし、前記ＩＣカード式定期券書換情報管理サーバ１３の記憶手段内に構成されたものであってもよい。
【００２０】
また、１６はクレジットカード取扱端末であり、駅の構内に配設され、内部ネットワーク１８と通信可能に接続されている。なお、該内部ネットワーク１８には前記ＩＣカード式定期券書換情報管理サーバ１３も通信可能に接続されている。ここで、前記クレジットカード取扱端末１６は、ＣＰＵ、ＭＰＵ等の演算手段、磁気ディスク、半導体メモリ等の記憶手段、キーボード、タッチパネル等の入力手段、ＣＲＴ、液晶ディスプレイ、ＬＥＤディスプレイ等の表示手段、通信インターフェイス等を備える一種のコンピュータであり、クレジットカードを挿入するためのカードスロットを備えるカード取扱部を備える。そして、前記利用者は、クレジットカード取扱端末１６を操作してＩＣカード式定期券書換情報管理サーバ１３にアクセスして、ＩＣカード式定期券の書換情報の更新を行うことができる。なお、前記クレジットカード取扱端末１６は、クレジットカードによるキャッシングを受け付ける機能を有するものであることが望ましい。
【００２１】
そして、１７は駅の構内に配設される定期券書換端末であり、ＣＰＵ、ＭＰＵ等の演算手段、磁気ディスク、半導体メモリ等の記憶手段、キーボード、タッチパネル等の入力手段、ＣＲＴ、液晶ディスプレイ、ＬＥＤディスプレイ等の表示手段、通信インターフェイス等を備える一種のコンピュータであり、内部ネットワーク１８に接続されている。また、前記定期券書換端末１７は、ＩＣカード式定期券を挿入するためのＩＣカードスロット、及び、ＩＣカード式定期券のＩＣに格納された有効期限等の情報の読取、書換等を行うヘッドを備えるＩＣカード取扱部を有する。そして、前記利用者は、前記定期券書換端末１７を操作してＩＣカード式定期券のＩＣに格納された情報の書換、すなわち、ＩＣカード式定期券の書換を行う。なお、前記定期券書換端末１７は、ＩＣカード式定期券の書換を行う機能を備える装置であれば、いかなる装置であってもよく、例えば、ＩＣカード式定期券を発券するためのＩＣカード発券機、ＩＣカード式定期券の精算を行うためのＩＣカード精算機等であってもよい。
【００２２】
また、１５はホストコンピュータであり、前記内部ネットワーク１８及びＩＣカード式定期券書換情報管理サーバ１３と通信可能に接続されている。前記ホストコンピュータ１５は、ＣＰＵ、ＭＰＵ等の演算手段、磁気ディスク、半導体メモリ等の記憶手段、キーボード、マウス、タッチパネル等の入力手段、ＣＲＴ、液晶ディスプレイ、ＬＥＤディスプレイ等の表示手段、通信インターフェイス等を備えるコンピュータであり、すべてのＩＣカード式定期券に関する利用区間、有効期限、利用者の氏名等の情報を管理する。
【００２３】
なお、前記内部ネットワーク１８は、オンラインネットワークであることが望ましく、無線又は有線の専用通信回線網から成るＬＡＮやイントラネットであるが、ＷＡＮ等の広域ネットワークであってもよいし、ＶＰＮであってもよいし、いかなるものであってもよい。
【００２４】
次に、前記構成のシステムにおける動作について説明する。まず、利用者がウェブブラウザ端末１１又はクレジットカード取扱端末１６を操作してＩＣカード式定期券の書換情報をＩＣカード式定期券書換情報管理サーバ１３に登録する動作について説明する。なお、前記書換情報とは、ＩＣカード式定期券の書換を行うことによって更新される、すなわち、書き換えられるＩＣカード式定期券のＩＣに格納された情報である。
【００２５】
図２は本発明の実施の形態におけるＩＣカード式定期券の書換情報を登録する動作を示すフローチャートである。
【００２６】
まず、利用者がウェブブラウザ端末１１を操作してＩＣカード式定期券の書換情報をＩＣカード式定期券書換情報管理サーバ１３に登録する場合の動作について説明する。この場合、前記利用者は、パーソナルコンピュータ１１ａ、携帯電話機１１ｂ等のウェブブラウザ端末１１を操作して、該ウェブブラウザ端末１１に搭載されているウェブブラウザを起動させ、一般ネットワーク１２を介してＩＣカード式定期券書換情報管理サーバ１３に接続する。これにより、ウェブブラウザ端末１１の表示手段に、図示されない書換情報入力画面が表示される。
【００２７】
そして、前記利用者は、ウェブブラウザ端末１１の入力手段を操作して、前記書換情報入力画面の入力欄に該当する項目に対応する情報を書換情報として入力する。前記項目は、例えば、ＩＣカード番号、書換種別、継続定期情報、利用者情報、決済情報等である。ここで、前記ＩＣカード番号は各ＩＣカード式定期券に付与されている識別番号である。そして、前記書換種別は、何を書き換えるのか、すなわち、書換の対象となる事項の種別であり、本実施の形態においては、定期券を継続して使用するための有効期限の更新又はチャージを選択するようになっている。また、前記継続定期情報は、利用区間、有効期限、利用者情報等である。さらに、前記決済情報はクレジットカード番号等のクレジット情報である。
【００２８】
続いて、前記項目に対応する情報の入力が終了すると、前記利用者は、ウェブブラウザ端末１１の入力手段を操作して入力された情報、すなわち、書換情報をＩＣカード式定期券書換情報管理サーバ１３に送信する。そして、前記書換情報を受信したＩＣカード式定期券書換情報管理サーバ１３は、定期券書換情報データベース１４にアクセスして、前記書換情報が正しいか否かをチェックする。例えば、カード番号と継続定期情報との対応が正しくなければ、前記書換情報が正しくない、すなわち、ＮＧであると判断し、前記ＩＣカード式定期券書換情報管理サーバ１３はその旨をウェブブラウザ端末１１に返信する。この場合、該ウェブブラウザ端末１１の表示手段に書換情報の入力をやり直す旨の画面が表示され、前記利用者は、書換情報を再度入力する。
【００２９】
一方、前記書換情報が正しい、すなわち、ＯＫと判断した場合、前記ＩＣカード式定期券書換情報管理サーバ１３は、前記定期券書換情報データベース１４に格納されている情報を前記書換情報に基づいて更新する、すなわち、書換情報の登録を行う。また、前記ＩＣカード式定期券書換情報管理サーバ１３は、前記ＩＣカード式定期券の書換に必要な代金を算出し、前記クレジット情報に基づいて、前記代金の決済を行う。ここで、前記代金は、前記ＩＣカード式定期券を継続して使用するために有効期限を更新する場合であれば、有効期限の更新に必要な金額であり、前記ＩＣカード式定期券を切符として利用するためにチャージを追加する場合であれば、追加されるチャージの金額である。これにより、前記ＩＣカード式定期券の書換情報の登録が終了する。このように、ウェブブラウザ端末１１を操作することによって、前記利用者は、家庭、職場等に居ながらにしてＩＣカード式定期券の書換情報を登録することができる。
【００３０】
次に、利用者がクレジットカード取扱端末１６を操作してＩＣカード式定期券の書換情報をＩＣカード式定期券書換情報管理サーバ１３に登録する場合の動作について説明する。この場合、前記利用者は、クレジットカード取扱端末１６を操作して、該クレジットカード取扱端末１６の図示されない表示手段に初期画面として表示されているメニューの中からＩＣカード式定期券の書換に該当する選択項目を選択する。これにより、前記クレジットカード取扱端末１６にインストールされているアプリケーションプログラムが起動して、前記クレジットカード取扱端末１６を内部ネットワーク１８を介してＩＣカード式定期券書換情報管理サーバ１３に接続する。これにより、前記クレジットカード取扱端末１６の表示手段に書換情報入力画面が表示される。
【００３１】
そして、前記利用者は、クレジットカード取扱端末１６の入力手段を操作して、前記書換情報入力画面の入力欄に該当する項目に対応する情報を書換情報として入力する。この場合、前記利用者は、クレジットカード取扱端末１６のカードスロットに自分の所持するクレジットカードを挿入する。これにより、クレジットカード取扱端末１６のカード取扱部が前記クレジットカードからクレジット情報を読み取るので、前記利用者は、クレジット情報を入力する必要が無い。
【００３２】
続いて、前記項目に対応する情報の入力が終了すると、前記アプリケーションプログラムが、入力された書換情報をＩＣカード式定期券書換情報管理サーバ１３に送信する。そして、前記書換情報を受信したＩＣカード式定期券書換情報管理サーバ１３は、定期券書換情報データベース１４にアクセスして、前記書換情報が正しいか否かをチェックする。そして、前記書換情報がＮＧであると判断した場合、前記ＩＣカード式定期券書換情報管理サーバ１３はその旨をクレジットカード取扱端末１６に返信する。この場合、該クレジットカード取扱端末１６の表示手段に書換情報の入力をやり直す旨の画面が表示され、前記利用者は、書換情報を再度入力する。
【００３３】
一方、前記書換情報がＯＫと判断した場合、前記ＩＣカード式定期券書換情報管理サーバ１３は、前記定期券書換情報データベース１４に格納されている情報を前記書換情報に基づいて更新する、すなわち、書換情報の登録を行う。また、前記ＩＣカード式定期券書換情報管理サーバ１３は、前記ＩＣカード式定期券の書換に必要な代金を算出し、前記クレジット情報に基づいて、前記代金の決済を行う。ここで、前記代金は、前記ＩＣカード式定期券を継続して使用するために有効期限を更新する場合であれば、有効期限の更新に必要な金額であり、前記ＩＣカード式定期券を切符として利用するためにチャージを追加する場合であれば、追加されるチャージの金額である。これにより、前記ＩＣカード式定期券の書換情報の登録が終了する。このように、ウェブブラウザ端末１１を所持していなくても、前記利用者は、クレジットカード取扱端末１６を操作することによって、ＩＣカード式定期券の書換情報を登録することができる。
【００３４】
次に、フローチャートについて説明する。
ステップＳ１  利用者はウェブブラウザ端末１１又はクレジットカード取扱端末１６を操作して、該ウェブブラウザ端末１１又はクレジットカード取扱端末１６をＩＣカード式定期券書換情報管理サーバ１３に接続する。
ステップＳ２  利用者がウェブブラウザ端末１１又はクレジットカード取扱端末１６を操作して書換情報を入力すると、ウェブブラウザ端末１１又はクレジットカード取扱端末１６は書換情報をＩＣカード式定期券書換情報管理サーバ１３に送信する。
ステップＳ３  ＩＣカード式定期券書換情報管理サーバ１３は、受信した書換情報が正しいか否かをチェックする。ＯＫである場合はステップＳ４に進み、ＮＧである場合はステップＳ２に戻る。
ステップＳ４  ＩＣカード式定期券書換情報管理サーバ１３は、書換情報の登録及び代金の決済を行い、処理を終了する。
【００３５】
次に、利用者が定期券書換端末１７を操作してＩＣカード式定期券のＩＣに格納されている情報の書換を行う動作、すなわち、ＩＣカード式定期券の書換の動作について説明する。
【００３６】
図３は本発明の実施の形態におけるＩＣカード式定期券の書換の動作を示すフローチャートである。
【００３７】
まず、利用者は、駅構内に配設される定期券書換端末１７を操作し、該定期券書換端末１７の表示手段に初期画面として表示されているメニューの中から「定期券書換（入金済）」を選択し、自分の所持するＩＣカード式定期券を定期券書換端末１７のＩＣカードスロットに挿入する。すると、前記定期券書換端末１７のＩＣカード取扱部は、ＩＣカード式定期券のＩＣに格納されているＩＣカード番号を読み取る。
【００３８】
続いて、前記定期券書換端末１７は、前記ＩＣカード番号及び定期券書換依頼を、内部ネットワーク１８を介して、ホストコンピュータ１５に送信する。そして、前記ＩＣカード番号及び定期券書換依頼を受信したホストコンピュータ１５は、ＩＣカード番号に基づいて、定期券書換依頼内容の問い合わせをＩＣカード式定期券書換情報管理サーバ１３に送信する。
【００３９】
続いて、該ＩＣカード式定期券書換情報管理サーバ１３は、定期券書換情報データベース１４にアクセスして、前記ＩＣカード番号に該当するＩＣカード式定期券の書換を許可することができるか否かをチェックする。この場合、ＩＣカード式定期券書換情報管理サーバ１３は、前記ＩＣカード式定期券の書換に必要な代金の決済が行われたか否かをチェックする。そして、代金の決済が行われていれば、ＩＣカード式定期券の書換を許可する、すなわち、ＯＫであると判断し、代金の決済が行われていなければ、ＩＣカード式定期券の書換を許可しない、すなわち、ＮＧであると判断する。
【００４０】
ここで、ＩＣカード式定期券書換情報管理サーバ１３は、ＯＫであると判断すると、ＩＣカード式定期券の書換指示を、定期券書換依頼内容の問い合わせに対する回答として、ホストコンピュータ１５に送信する。そして、該ホストコンピュータ１５は、受信したＩＣカード式定期券の書換指示を、内部ネットワーク１８を介して、定期券書換端末１７に送信する。続いて、該定期券書換端末１７のＩＣカード取扱部は、ＩＣカード式定期券のＩＣに格納されている情報の書換を行う。ここで、書換種別が定期券を継続して使用するための有効期限の更新である場合、前記ＩＣカード取扱部は、ＩＣカード式定期券のＩＣに格納されている有効期限を書き換える。また、書換種別がチャージである場合、前記ＩＣカード取扱部は、ＩＣカード式定期券のＩＣに格納されているチャージを追加する。そして、ＩＣに格納されている情報の書換が行われたＩＣカード式定期券は、ＩＣカードスロットから排出され、前記利用者に返却される。これにより、ＩＣカード式定期券の書換が終了する。
【００４１】
また、ＩＣカード式定期券書換情報管理サーバ１３は、ＮＧであると判断すると、定期券書換依頼をキャンセルする旨の指示を、定期券書換依頼内容の問い合わせに対する回答として、ホストコンピュータ１５に送信する。そして、該ホストコンピュータ１５は、受信した定期券書換依頼をキャンセルする旨の指示を、内部ネットワーク１８を介して、定期券書換端末１７に送信する。続いて、該定期券書換端末１７は、表示手段にＩＣカード式定期券の書換を行うことができない旨を表示する。そして、ＩＣに格納されているＩＣカード式定期券は、情報の書換が行われずに、ＩＣカードスロットから排出され、前記利用者に返却される。
【００４２】
次に、フローチャートについて説明する。
ステップＳ１１  利用者は、定期券書換端末１７を操作し、メニューの中から「定期券書換（入金済）」を選択し、ＩＣカード式定期券を定期券書換端末１７のＩＣカードスロットに挿入する。
ステップＳ１２  定期券書換端末１７は読み取ったＩＣカード番号及び定期券書換依頼をホストコンピュータ１５に送信する。
ステップＳ１３  ホストコンピュータ１５は、ＩＣカード番号に基づいて、定期券書換依頼内容の問い合わせをＩＣカード式定期券書換情報管理サーバ１３に送信する。
ステップＳ１４  ＩＣカード式定期券書換情報管理サーバ１３は、ＩＣカード式定期券の書換を許可することができるか否かをチェックする。ＯＫである場合はステップＳ１６に進み、ＮＧである場合はステップＳ１５に進む。
ステップＳ１５  ＩＣカード式定期券書換情報管理サーバ１３は、定期券書換依頼をキャンセルする旨の指示をホストコンピュータ１５に送信し、処理を終了する。
ステップＳ１６  ＩＣカード式定期券書換情報管理サーバ１３は、ＩＣカード式定期券の書換指示をホストコンピュータ１５に送信する。
ステップＳ１７  定期券書換端末１７はＩＣカード式定期券の書換を行い、処理を終了する。
【００４３】
このように、本実施の形態において、利用者は、まず、ウェブブラウザ端末１１又はクレジットカード取扱端末１６を操作して、ＩＣカード式定期券の書換情報の登録及びクレジット決済による代金の決済を行い、その後、定期券書換端末１７を操作してＩＣカード式定期券の書換を行うようになっている。そのため、利用者は、現金の入金を行うことなく、定期券書換端末１７を操作してＩＣカード式定期券の書換を行うことができる。
【００４４】
これにより、利用者は、クレジットカードを使用して決済を行うことによってＩＣカード式定期券の書換を行うことができるので、多額の現金を所持する必要がなく、煩わしく感じることがない。また、多額の現金を紛失したり、盗難されたりする可能性がないので、不安に感じることもない。さらに、クレジットカードを使用して決済を行うために駅の定期券販売窓口に赴く必要がないので、定期券販売窓口における受付時間外であっても、例えば、早朝又は深夜の時間帯であっても、ＩＣカード式定期券の書換を行うことができる。
【００４５】
また、駅の構内に多数配設されるＩＣカード発券機、ＩＣカード精算機等である定期券書換端末１７を操作して、ＩＣカード式定期券の書換を行うことができるので、ＩＣカード式定期券の書換を行うための待ち時間を短縮することができる。
【００４６】
さらに、ウェブブラウザ端末１１又はクレジットカード取扱端末１６を操作して、あらかじめＩＣカード式定期券の書換情報をＩＣカード式定期券書換情報管理サーバ１３に登録しておくので、ＩＣカード式定期券の書換を行うために定期券書換端末１７を操作する時間を短縮することができる。また、従来において、利用者又は駅の係員が行っていた入力操作が不要となり、定期券書換端末１７におけるＩＣカード式定期券の書換のための購入処理時間を短縮することができる。
【００４７】
なお、本発明は前記実施の形態に限定されるものではなく、本発明の趣旨に基づいて種々変形させることが可能であり、それらを本発明の範囲から排除するものではない。
【００４８】
【発明の効果】
以上詳細に説明したように、本発明によれば、現金の入金を行うことなく、また、何時でも定期券書換端末を操作してＩＣカード式定期券の書換を行うことができる。
【図面の簡単な説明】
【図１】本発明の実施の形態におけるＩＣカード式定期券の書換のためのシステム構成を示す図である。
【図２】本発明の実施の形態におけるＩＣカード式定期券の書換情報を登録する動作を示すフローチャートである。
【図３】本発明の実施の形態におけるＩＣカード式定期券の書換の動作を示すフローチャートである。
【符号の説明】
１１    ウェブブラウザ端末
１３    ＩＣカード式定期券書換情報管理サーバ
１６    クレジットカード取扱端末
１７    定期券書換端末
【図１】
2004326524.tif 000003
【図２】
2004326524.tif 000004
【図３】
2004326524.tif 000005